【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
ユーザが、スキャナを用いて、事前に印刷されたシートを走査して、元の走査画像を作成するステップと、
前記ユーザからさらに入力されることなく、専用の画像プロセッサを用いて、前記元の走査画像を自動的に評価して、前記事前に印刷されたシート上に印刷されているマークを自動的に識別するステップと、
前記ユーザからさらに入力されることなく、前記専用の画像プロセッサを用いて、前記マークの画素を自動的に変更して、時間、場所、および前記スキャナのユーザのうちの少なくとも１つを識別するセキュリティ特性を、走査されたシート別に異なるシート位置で前記マークに動的に付与して、変更済み走査画像を自動的に作成するステップと、
前記ユーザからさらに入力されることなく、前記専用の画像プロセッサを用いて、前記元の走査画像を前記変更済み走査画像に自動的に取り替えるステップと、
拡大装置を備えていない前記ユーザからは前記変更済み走査画像の前記セキュリティ特性を見ることができない態様で、前記画像プロセッサから、前記元の走査画像の代わりに、前記変更済み走査画像を出力するステップと、を含む方法。
【請求項２】
前記セキュリティ特性内の時間、場所、およびユーザのうちの前記少なくとも１つを見るためには、拡大装置が必要であり、前記拡大装置を備えていないユーザからそれらの情報を見ることはできない、請求項１に記載の方法。
【請求項３】
前記拡大装置を備えていない前記ユーザにとって、前記マークの画素を変更する前記ステップにより、前記マークの容姿は変更されない、請求項２に記載の方法。
【請求項４】
前記セキュリティ特性には、マイクロテキストおよびマイクロプリントが含まれる、請求項１に記載の方法。
【請求項５】
前記走査の前に、前記スキャナへのユーザログインを受け取るステップをさらに含み、
画素を変更する前記ステップが、前記ユーザログインを用いて、前記スキャナの前記ユーザを識別する前記セキュリティ特性を付与することを含む、請求項１に記載の方法。
【請求項６】
ユーザが、スキャナを用いて、事前に印刷されたシートを走査して、元の走査画像を作成するステップと、
前記ユーザからさらに入力されることなく、専用の画像プロセッサを用いて、前記元の走査画像を自動的に評価して、前記事前に印刷されたシート上に印刷されているマークを自動的に識別するステップであって、これに基づいて、前記事前に印刷されたシートのマークを気付かれないように変更することができる、前記ステップと、
前記ユーザからさらに入力されることなく、前記専用の画像プロセッサを用いて、前記マークの画素を自動的に変更して、時間、場所、および前記スキャナのユーザのうちの少なくとも１つを識別するセキュリティ特性を、走査されたシート別に異なるシート位置で前記マークに動的に付与して、変更済み走査画像を自動的に作成するステップと、
前記ユーザからさらに入力されることなく、前記専用の画像プロセッサを用いて、前記元の走査画像を前記変更済み走査画像に自動的に入れ替えるステップと、
拡大装置を備えていない前記ユーザからは前記変更済み走査画像の前記セキュリティ特性を見ることができない態様で、前記画像プロセッサから、前記元の走査画像の代わりに、前記変更済み走査画像を出力するステップと、を含む方法。
【請求項７】
前記セキュリティ特性内の時間、場所、および前記スキャナのユーザのうちの前記少なくとも１つを見るためには、拡大装置が必要であり、前記拡大装置を備えていないユーザからそれらの情報を見ることはできない、請求項６に記載の方法。
【請求項８】
前記拡大装置を備えていない前記ユーザにとって、前記マークの画素を変更する前記ステップにより、前記マークの容姿は変更されない、請求項７に記載の方法。
【請求項９】
前記セキュリティ特性には、マイクロテキストおよびマイクロプリントが含まれる、請求項６に記載の方法。
【請求項１０】
前記走査の前に、前記スキャナへのユーザログインを受け取るステップをさらに含み、
画素を変更する前記ステップが、前記ユーザログインを用いて、前記スキャナの前記ユーザを識別する前記セキュリティ特性を付与することを含む、請求項６に記載の方法。
【請求項１１】
ユーザによって操作され、事前に印刷されたシートを走査して、元の走査画像を作成するスキャナと、
前記スキャナに動作可能に接続する専用の画像プロセッサと、を含み、
前記専用の画像プロセッサが、前記ユーザからさらに入力されることなく、前記元の走査画像を自動的に評価して、前記事前に印刷されたシート上に印刷されているマークを自動的に識別し、
前記専用の画像プロセッサが、前記ユーザからさらに入力されることなく、前記マークの画素を自動的に変更して、時間、場所、および前記スキャナのユーザのうちの少なくとも１つを識別するセキュリティ特性を、走査されたシート別に異なるシート位置で前記マークに動的に付与して、変更済み走査画像を自動的に作成し、
前記専用の画像プロセッサが、前記ユーザからさらに入力されることなく、前記元の走査画像を前記変更済み走査画像に自動的に取り替え、
拡大装置を備えていない前記ユーザからは前記変更済み走査画像の前記セキュリティ特性を見ることができない態様で、前記元の走査画像の代わりに、前記変更済み走査画像を出力する、システム。
【請求項１２】
前記セキュリティ特性内の時間、場所、および前記スキャナのユーザのうちの前記少なくとも１つを見るためには、拡大装置が必要であり、前記拡大装置を備えていないユーザからそれらの情報を見ることはできない、請求項１１に記載のシステム。
【請求項１３】
前記拡大装置を備えていない前記ユーザにとって、前記マークの画素を変更することにより、前記マークの容姿は変更されない、請求項１２に記載のシステム。
【請求項１４】
前記セキュリティ特性には、マイクロテキストおよびマイクロプリントが含まれる、請求項１１に記載のシステム。
【請求項１５】
前記スキャナが、前記走査の前にユーザログインを受け取り、前記専用の画像プロセッサが、前記ユーザログインを用いて、前記スキャナの前記ユーザを識別する前記セキュリティ特性を付与する、請求項１１に記載のシステム。
【請求項１６】
ユーザによって操作され、事前に印刷されたシートを走査して、元の走査画像を作成するスキャナと、
前記スキャナに動作可能に接続する専用の画像プロセッサと、を含み、
前記専用の画像プロセッサが、前記ユーザからさらに入力されることなく、前記元の走査画像を自動的に評価して、前記事前に印刷されたシート上に印刷されているマークを自動的に識別し、これに基づいて、前記事前に印刷されたシートのマークを気付かれないように変更することができ、
前記専用の画像プロセッサが、前記ユーザからさらに入力されることなく、前記マークの画素を自動的に変更して、時間、場所、および前記スキャナのユーザのうちの少なくとも１つを識別するセキュリティ特性を、走査されたシート別に異なるシート位置で前記マークに動的に付与して、変更済み走査画像を自動的に作成し、
前記専用の画像プロセッサが、前記ユーザからさらに入力されることなく、前記元の走査画像を前記変更済み走査画像に自動的に取り替え、
拡大装置を備えていない前記ユーザからは前記変更済み走査画像の前記セキュリティ特性を見ることができない態様で、前記元の走査画像の代わりに、前記変更済み走査画像を出力する、システム。
【請求項１７】
前記セキュリティ特性内の時間、場所、および前記スキャナのユーザのうちの前記少なくとも１つを見るためには、拡大装置が必要であり、前記拡大装置を備えていないユーザからそれらの情報を見ることはできない、請求項１６に記載のシステム。
【請求項１８】
前記拡大装置を備えていない前記ユーザにとって、前記マークの画素を変更することにより、前記マークの容姿は変更されない、請求項１７に記載のシステム。
【請求項１９】
前記セキュリティ特性には、マイクロテキストおよびマイクロプリントが含まれる、請求項１６に記載のシステム。
【請求項２０】
前記スキャナが、前記走査の前にユーザログインを受け取り、前記専用の画像プロセッサが、前記ユーザログインを用いて、前記スキャナの前記ユーザを識別する前記セキュリティ特性を付与する、請求項１６に記載のシステム。